(57)【特許請求の範囲】
【請求項１】
測定センサを介して被験者のバイタルサインを取得すると共に、前記被験者の生体情報を測定する外部測定装置と接続する生体情報モニタであって、
前記生体情報モニタに設けられ、ハードウェアで共通の時刻情報である共通時刻情報を管理するマスタークロックと、
内部固有の時刻情報である第１時刻情報を管理する第１オペレーティングシステムと、
内部固有の時刻情報である第２時刻情報を管理すると共に前記外部測定装置とのデータの送受信を行う第２オペレーティングシステムと、を備え、
前記第１オペレーティングシステムは、前記被験者のバイタルサインを測定するとともに、前記外部測定装置による生体情報の測定に関連する所定イベントの発生時に前記マスタークロックから前記共通時刻情報を読み出し、前記共通時刻情報を用いて前記第１時刻情報を更新し、
前記第２オペレーティングシステムは、前記外部測定装置による生体情報の測定に関連する前記所定イベントの発生時に前記マスタークロックから前記共通時刻情報を読み出し、前記共通時刻情報を用いて前記第２時刻情報を更新すると共に、更新済みの前記第２時刻情報または前記共通時刻情報を前記外部測定装置に通知する、生体情報モニタ。
【請求項２】
測定センサを介して被験者のバイタルサインを取得すると共に、前記被験者の生体情報を測定する外部測定装置と接続する生体情報モニタであって、
前記生体情報モニタに設けられ、ハードウェアで共通の時刻情報である共通時刻情報を管理するマスタークロックと、
内部固有の時刻情報である第１時刻情報を管理する第１オペレーティングシステムと、
内部固有の時刻情報である第２時刻情報を管理すると共に、前記外部測定装置とのデータの送受信を行う第２オペレーティングシステムと、を備え、
前記第１オペレーティングシステムは、前記被験者のバイタルサインを測定するとともに、前記外部測定装置による生体情報の測定に関連する所定イベントの発生時に前記マスタークロックから前記共通時刻情報を読み出し、前記共通時刻情報を用いて前記第１時刻情報を更新し、前記第１時刻情報または前記共通時刻情報を前記第２オペレーティングシステムに通知し、
前記第２オペレーティングシステムは、前記第１オペレーティングシステムから通知された前記第１時刻情報または前記共通時刻情報を用いて前記第２時刻情報を更新すると共に、更新済みの前記第２時刻情報または前記共通時刻情報を前記外部測定装置に通知する、生体情報モニタ。
【請求項３】
測定センサを介して被験者のバイタルサインを取得すると共に、前記被験者の生体情報を測定する外部測定装置と接続する生体情報モニタであって、
前記生体情報モニタに設けられ、ハードウェアで共通の時刻情報である共通時刻情報を管理するマスタークロックと、
内部固有の時刻情報である第１時刻情報を管理する第１オペレーティングシステムと、
内部固有の時刻情報である第２時刻情報を管理すると共に前記外部測定装置とのデータの送受信を行う第２オペレーティングシステムと、を備え、
前記第２オペレーティングシステムは、前記外部測定装置による生体情報の測定に関連する所定イベントの発生時に前記マスタークロックから前記共通時刻情報を読み出し、前記共通時刻情報を用いて前記第２時刻情報を更新するとともに、前記共通時刻情報または更新済みの前記第２時刻情報を前記第２オペレーティングシステム及び前記外部測定装置に通知し、
前記第１オペレーティングシステムは、前記被験者のバイタルサインを測定するとともに、前記第２オペレーティングシステムから通知された前記共通時刻情報または前記第２時刻情報を用いて前記第１時刻情報を更新する、生体情報モニタ。
【請求項４】
前記第１オペレーティングシステム又は前記第２オペレーティングシステムは、ネットワーク上のタイムサーバから読み出した時刻情報を用いて前記マスタークロックの管理する前記共通時刻情報を更新する、
ことを特徴とする請求項１〜３のいずれか１項に記載の生体情報モニタ。
【請求項５】
前記第２オペレーティングシステムは、前記第１時刻情報の更新処理を他の処理よりも優先して実行する、ことを特徴とする請求項１〜４のいずれか１項に記載の生体情報モニタ。
【請求項６】
前記所定イベントは、前記第２オペレーティングシステムにおいて、前記外部測定装置の生体情報測定に関するソフトウェアが起動したことである、請求項１〜５のいずれか１項に記載の生体情報モニタ。
【請求項７】
前記所定イベントは、前記外部測定装置が生体情報の測定を開始したことである、請求項１〜５のいずれか１項に記載の生体情報モニタ。
【発明の詳細な説明】
【技術分野】
【０００１】
本発明は生体情報モニタに関し、特に複数のオペレーティングシステムが内部で動作する生体情報モニタに関する。
【背景技術】
【０００２】
被験者の状態を把握するための情報として各種のバイタルサイン（血圧、体温、呼吸、脈拍数、動脈血酸素飽和度、等）が広く利用されている。また被験者の胸部や腹部等の状態を把握するために超音波検査装置が用いられている。
【０００３】
近年、バイタルサインの測定と超音波測定を同時に行う技術が提案されている。例えば特許文献１では、生体情報モニタに対して超音波トランスデューサを接続可能なシステムが開示されている（特許文献１のＦｉｇ．１）。当該システムは、超音波トランスデューサが取得した超音波画像と被験者の生体パラメータ（バイタルサイン）の双方を同時に処理することができる。
【０００４】
さらに近年では、動作信頼性や測定機能の拡張性を向上させるために、複数のオペレーティングシステムを同一の生体情報モニタ上で動作させる構成が開示されている（特許文献２）。特許文献２の生体情報測定装置は、バイタルサインの測定に用いる第１のＯＳ（組込ＯＳ）と拡張性の高い第２のＯＳ（汎用ＯＳ）を動作させる。
【先行技術文献】
【特許文献】
【０００５】
【特許文献１】国際公開第２００９／１３８９０２号パンフレット
【特許文献２】特開２０１４−２３５７０号公報
【発明の概要】
【発明が解決しようとする課題】
【０００６】
上記のように、生体情報モニタに対して外部測定装置（好適には超音波測定装置）が接続すると共に、当該生体情報モニタ上で複数のオペレーティングシステムが動作する構成が使用されている。当該構成の生体情報モニタ（複数ＯＳ、及び外部測定装置との接続）を使用する場合、各オペレーティングシステムの持つ時刻情報と外部測定装置の持つ時刻情報を同期しなければならない。
【０００７】
例えば複数のオペレーティングシステムが動作する生体情報モニタに超音波測定装置を接続して血圧波形等とドップラー血流画像を参照する場合を検討する。この場合、生体情報モニタ内の各オペレーティングシステムや超音波測定装置内のオペレーティングシステムの時刻情報を同期しなければ、医師等は血流と血圧波形等との関係を正確に判断することが難しい。なお当該事項は生体情報モニタに超音波測定装置を接続する場合のみならず、生体情報モニタに他の装置（筋電計、ＥＩＴ（Electrical Impedance Tomography）測定装置、電磁血流計）等を接続する場合にも共通するものである。
【０００８】
しかしながら、上述の特許文献１及び２では、生体情報モニタ内の各オペレーティングシステム及び外部測定装置内のオペレーティングシステムの時刻同期については何らの示唆や教示が無い。
【０００９】
そこで本発明は、上記に鑑みてなされたものであり、複数のオペレーティングシステムが動作する生体情報モニタに外部測定装置が接続する構成において、各オペレーティングシステムにおいてズレの無い時刻情報を扱うことができる生体情報モニタを提供することを主たる目的とする。
【課題を解決するための手段】
【００１０】
本発明にかかる生体情報モニタの一態様は、
測定センサを介して被験者のバイタルサインを取得すると共に、前記被験者の生体情報を測定する外部測定装置と接続する生体情報モニタであって、
前記生体情報モニタに設けられ、ハードウェアで共通の時刻情報である共通時刻情報を管理するマスタークロックと、
内部固有の時刻情報である第１時刻情報を管理する第１オペレーティングシステムと、
内部固有の時刻情報である第２時刻情報を管理すると共に前記外部測定装置とのデータの送受信を行う第２オペレーティングシステムと、を備え、
前記第１オペレーティングシステムは、所定イベントの発生時に前記マスタークロックから前記共通時刻情報を読み出し、前記共通時刻情報を用いて前記第１時刻情報を更新し、
前記第２オペレーティングシステムは、前記所定イベントの発生時に前記マスタークロックから前記共通時刻情報を読み出し、前記共通時刻情報を用いて前記第２時刻情報を更新すると共に、更新済みの前記第２時刻情報または前記共通時刻情報を前記外部測定装置に通知する、ものである。
【００１１】
各オペレーティングシステム（第１オペレーティングシステム、第２オペレーティングシステム、外部測定装置内のオペレーティングシステム）は所定イベント発生時にマスタークロックの計時する共通時刻情報を用い、各自の管理する時刻情報を更新する。マスタークロックの共通時刻情報を用いた時刻同期を行うため、各オペレーティングシステムにおける時刻のズレがなくなる。これにより生体情報モニタは、複数の情報（波形、測定値、超音波画像）を時刻のズレの無い状態で扱うことができる。
【発明の効果】
【００１２】
複数のオペレーティングシステムが動作する生体情報モニタに外部測定装置が接続する構成において、各オペレーティングシステムにおいてズレの無い時刻情報を扱うことができる生体情報モニタを提供することができる。
【図面の簡単な説明】
【００１３】
【図１】実施の形態１にかかる生体情報システム１の構成を示すブロック図である。
【図２】実施の形態１にかかる生体情報システム１の構成を示すブロック図である。
【図３】実施の形態２にかかる生体情報システム１の構成を示すブロック図である。
【図４】実施の形態３にかかる生体情報システム１の構成を示すブロック図である。
【発明を実施するための形態】
【００１４】
＜実施の形態１＞
以下、図面を参照して本発明の実施の形態について説明する。図１は、本実施の形態にかかる生体情報システム１の構成を示すブロック図である。生体情報システム１は、生体情報モニタ１０及び超音波測定装置３０を有する。超音波測定装置３０は、生体情報モニタ１０と接続し、被験者の生体情報（例えば超音波画像）を測定する外部測定装置の一態様である。
【００１５】
生体情報モニタ１０は、被験者毎に設置され、バイタルサイン（血圧、酸素飽和度、体温、呼吸、心電図、筋電図等）を測定、演算処理、画面表示する装置である。生体情報モニタ１０は、被験者から各種の生体信号を取得する測定センサ２１及び測定センサ２２と接続する。すなわち生体情報モニタ１０は、測定センサ２１及び２２を介して被験者のバイタルサインを取得する。測定センサ２１及び測定センサ２２は、例えば貼付電極、カフ、マスク、体温センサ等である。測定センサ２１及び測定センサ２２は、生体情報モニタ１０と有線又は無線で接続する。なお測定センサの個数は、任意の数であればよい。
【００１６】
生体情報モニタ１０は、第１ＯＳ１１（Operating System、第１オペレーティングシステム）、第２ＯＳ１２（Operating System、第２オペレーティングシステム）、出力制御部１５、及び入力部１７を備える。
【００１７】
第１ＯＳ１１は、コンピュータの基本的な制御・管理を行う。第１ＯＳ１１上では第１演算部１３が動作する。第１ＯＳ１１は、プログラムの制御機能、画面表示機能、およびファイル操作機能等を提供する基本ソフトウェアである。第１ＯＳ１１は、図示しないＣＰＵ（Central Processing Unit）がメモリから読み出して実行することにより稼働する基本ソフトウェアである。
【００１８】
第１ＯＳ１１は、特定の機能を実行可能な組込系のＯＳである。ここで特定の機能とは、例えば被験者の生体信号から測定波形や測定値を検出して表示する。組込系のＯＳ（以下、組込ＯＳとも称する）は、予め設定された特定の機能を実行するＯＳであるため、汎用のＯＳ（例えば、Windows、Mac OS、Linux（以上、登録商標）等）に比べて処理動作が停止（フリーズ）する虞は少なく、安定した信頼性の高い処理動作を実現することができる。組込ＯＳ、すなわち第１ＯＳ１１は、被検者のベッド近くに設置されたベッドサイドモニタに採用されるＯＳであることから、第１ＯＳ１１のことをモニタＯＳとも称する。
【００１９】
第２ＯＳ１２は、第１ＯＳ１１と同様にプログラムの制御機能、画面表示機能、およびファイル操作機能等を提供する基本ソフトウェアである。第２ＯＳ１２は、図示しないＣＰＵ（Central Processing Unit）がメモリから読み出して実行することにより稼働する基本ソフトウェアである。第２ＯＳ１２には、パーソナルコンピュータ（ＰＣ）に用いられている汎用ＯＳ（例えば、Windows、MacOS、Linux（以上、登録商標）等）が採用されている。汎用ＯＳは、新しいアプリケーションへの対応、新しい周辺装置（デバイス）管理の対応、多言語動作への対応等の高い拡張性を有している。汎用ＯＳ、すなわち第２ＯＳ１２は、拡張性が高いＯＳであることから、以下の説明では拡張ＯＳとも称する。
【００２０】
第１演算部１３は、第１ＯＳ１１上で動作する。第１演算部１３は、入力部１７から送信されてくる制御信号に基づいて生体情報の演算処理を行なう。制御信号は、生体情報モニタ１０の筐体上のボタン等を介して医療従事者によって入力された内容に基づく信号である。第１演算部１３と入力部１７とは、バスライン５１によって通信可能に接続されている。第１演算部１３には、被検者の生体情報を測定するための測定センサ２１及び測定センサ２２が接続されている。測定センサ２１及び測定センサ２２から入力された生体情報（生体信号）が第１演算部１３に入力される。第１演算部１３は、入力部１７からの制御信号に基づいてこれらの生体信号を演算処理する。
【００２１】
第１演算部１３は、測定センサ２１、２２から受信した生体信号に関する各種の数値データ（血圧値、体温、酸素濃度、二酸化炭素濃度、心拍出量等）を計測する。また、第１演算部１３は、計測した数値データに基づいて計測値のリストおよびグラフの作成を行う。また第１演算部１３は、測定値が異常値（予め設定した閾値を超えている値）を示しているか否かを判別し、異常値と判別した場合にはアラーム（警告）表示の作成等を行う。そして、第１演算部１３は、これら生体波形、各種数値データ、計測値リストおよびグラフ、異常警告表示等の信号を演算処理信号（第１の演算処理信号）として出力制御部１５へ出力する。また、第１演算部１３は、これらの演算処理信号（第１の演算処理信号）や、測定センサ２１、２２、入力部１７、および第２演算部１４から受信したデータ等を図示を省略する記憶手段（メモリ）に記憶・保存している。
【００２２】
測定センサ２１及び２２によって測定された生体情報の信号は、ベッドサイドモニタにおいて被検者から常時かつ継続して測定されている種類の信号である場合が多い。したがって、これらの生体信号を処理する第１演算部１３を、処理動作の信頼性が高いモニタＯＳ（第１ＯＳ１１）上で動作させることによって、継続して安定した生体情報の出力を得ることが可能となる。
【００２３】
第２演算部１４は、第２ＯＳ１２上で動作する。第２演算部１４は、入力部１７から送信される制御信号に基づいて生体情報の演算処理を行う。第２演算部１４と入力部１７は、バスライン５２によって通信可能に接続される。第２演算部１４は、第１演算部１３とバスライン５３によって通信可能に接続されている。
【００２４】
第２演算部１４は、拡張性・汎用性の高い拡張ＯＳ（第２ＯＳ１２）上で動作しているので、第１演算部１３から送信されてきた演算処理信号を解析して、組込ＯＳ（第１ＯＳ１１）では処理することができない高度な機能を用いて生体解析グラフの表示、データの統計処理、多国語対応処理、画面装飾などの高度なグラフィック処理等を行なうことが可能である。
【００２５】
また第２演算部１４（第２ＯＳ１２）は、物理的なケーブル５４（例えばＵＳＢケーブル）を介して超音波測定装置３０と接続し、超音波測定装置３０とのデータの送受信を行う。第２演算部１４は、超音波画像信号を超音波測定装置３０から受信し、当該画像信号を処理することにより超音波画像を出力制御部１５を介して図示しない表示部（例えば生体情報モニタ１０の筐体上に設けられたディスプレイ）に表示する。
【００２６】
出力制御部１５は、画像処理を行なう集積回路であるグラフィックチップ（ビデオチップ）によって構成されている。出力制御部１５は、同時に複数の信号を受信可能であり、第１演算部１３や第２演算部１４からの各種演算信号を基に表示制御を行う。具体的には受信した演算信号を基に図示しない表示部（例えば生体情報モニタ１０の筐体上に設けられたディスプレイ）に各種データやグラフ等の表示を行う。更に出力制御部１５は、超音波測定装置３０から受信した超音波画像信号を基にした超音波画像を表示部に表示する。出力制御部１５は、表示制御にあたってメモリ１６へのデータ書き込み／読み出しを適宜行う。
【００２７】
入力部１７は、図示しない各種入力インターフェイス（生体情報モニタ１０の筐体上のボタン、ツマミ、タッチパネル等）からの入力を受け付け、当該入力に応じた制御信号を第１演算部１３または第２演算部１４に供給する。
【００２８】
マスタークロック１８は、生体情報モニタ１０の電源が切られている場合でも現在時刻を計時する内蔵クロックである。マスタークロック１８は、生体情報モニタ１０のハードウェア上で共通の時刻情報（共通時刻情報）を管理（計時）する。マスタークロック１８は、例えば生体情報モニタ１０の電源装置とは別のバッテリ（例えば生体情報モニタ１０に内蔵されたボタン型電池等）からの電源供給を受けて動作する。
【００２９】
第１ＯＳ１１は、内部固有の時刻情報である第１時刻情報を管理（計時）する。第１時刻情報は、いわゆるシステムクロックである。第１ＯＳ１１は、生体情報モニタ１０の起動時（電源がオンになった時）にマスタークロック１８から共通時刻情報を読み出し、第１時刻情報を読み出した共通時刻情報を用いて更新する。ここで更新とは、「第１時刻情報を共通時刻情報で上書きする処理」や、「第１時刻情報と共通時刻情報の差分を算出し、当該差分を用いて第１時刻情報の時刻をずらす処理」を含む概念である。すなわち更新とは、第１時刻情報を共通時刻情報に合わせる処理を全て含む概念であり、以下の説明でも同様である。
【００３０】
同様に第２ＯＳ１２は、内部固有の時刻情報である第２時刻情報を管理（計時）する。第２時刻情報は、いわゆるシステムクロックである。第２ＯＳ１２は、生体情報モニタ１０の起動時（電源がオンになった時）にマスタークロック１８から共通時刻情報を読み出し、第２時刻情報を読み出した共通時刻情報を用いて更新する。
【００３１】
また第１ＯＳ１１は、所定イベントの発生時にマスタークロック１８の共通時刻情報を読み出し、読み出した共通時刻情報を用いて第１時刻情報を更新する。同様に第２ＯＳ１２は、所定イベント発生時にマスタークロック１８から共通時刻情報を読み出し、読み出した共通時刻情報を用いて第２時刻情報を更新する。ここで所定イベントとは、例えば以下のものである。
・超音波測定装置３０が生体情報モニタ１０に物理的に接続したことを検出した場合
・前回の時刻同期処理から一定時間（例えば３０分）が経過した場合
・他のオペレーティングシステムからマスタークロック１８との時刻同期の開始を知らせる通知を受信した場合
・第２ＯＳ１２において超音波画像に関するソフトウェアが起動または終了した場合
・超音波測定装置３０が超音波測定を開始した場合（開始信号を受信した場合）
・超音波測定装置３０が超音波測定を終了した場合（開始信号を終了した場合）
・ユーザが明示的に時刻同期コマンドを入力した場合（例えば専用の同期ボタン等を押した場合）
【００３２】
第２ＯＳ１２は、マスタークロック１８の共通時刻情報を用いて第２時刻情報を更新し、更新した第２時刻情報を超音波測定装置３０に通知する。なお第２ＯＳ１２は、第２時刻情報の更新処理の前に共通時刻情報を超音波測定装置３０に通知してもよい。すなわち第２ＯＳ１２は、読み出した共通時刻情報または更新済みの第２時刻情報を超音波測定装置３０に通知する。超音波測定装置３０は、通知された第２時刻情報（又は共通時刻情報）を用いて超音波測定装置３０内のオペレーティングシステムで管理するシステムクロックを更新する。
【００３３】
なお第１ＯＳ１１と第２ＯＳ１２は、別々にマスタークロック１８をアクセスするため、読み出しタイミングを合わせることが好ましい。例えば第１ＯＳ１１がマスタークロック１８から共通時刻情報を読み出す前に、読み出しを行うことを第２ＯＳ１２に通知することが好ましい。第２ＯＳ１２は、当該通知に応じてマスタークロック１８に対してアクセスする。所定イベントの検出タイミングが各オペレーティングシステムで略同一である場合には、上述のタイミング合わせは不要となる。
【００３４】
第１ＯＳ１１、第２ＯＳ１２、及び超音波測定装置３０は、所定イベントの発生時にマスタークロック１８の管理する共通時刻情報を用いて一斉に時刻情報を補正する。なお時刻同期を正確に行うために、第１ＯＳ１１は上述の更新処理（マスタークロック１８からの読み出し、第１時刻情報の更新）を他の処理よりも優先して行うことが望ましい。同様に第２ＯＳ１２は上述の更新処理（マスタークロック１８からの読み出し、第２時刻情報の更新、及び第２時刻情報または共通時刻情報の通知）を他の処理よりも優先して行うことが望ましい。すなわち当該更新処理は、優先度の高い割り込み処理（実行中の他の処理を一時的に中断して即座に行われる処理、換言すると他の処理よりも優先的に実行する処理）として扱われることが好ましい。
【００３５】
これにより各オペレーティングシステム（第１ＯＳ１１、第２ＯＳ１２、超音波測定装置３０内のオペレーティングシステム）において管理される時刻情報は、所定イベントの発生毎に共通時刻情報を用いて同期される。
【００３６】
続いて図２を参照して所定イベント発生時の時刻同期の流れについて改めて説明する。所定イベント検出時に、第１ＯＳ１１及び第２ＯＳ１２はマスタークロック１８の共通時刻情報を読み出して、自身の管理する（換言すると内部固有の）時刻情報（第１時刻情報、第２時刻情報）をそれぞれ更新する。また第２ＯＳ１２は、更新した第２時刻情報（または共通時刻情報）を超音波測定装置３０に通知する。超音波測定装置３０は、通知された第２時刻情報（または共通時刻情報）を用いて自身のオペレーティングシステムで管理する時刻情報を更新する。
【００３７】
なお生体情報モニタ１０内の一方のオペレーティングシステムのみが検出できるイベントが発生した場合、イベント検出を行ったオペレーティングシステムはバスライン５３を介した通知を先ず行う。その後に第１ＯＳ１１及び第２ＯＳ１２は、上述のマスタークロック１８へのアクセス等を行う。
【００３８】
続いて、本実施の形態にかかる生体情報モニタ１０の効果について説明する。例えば超音波測定装置３０がドップラー計測により血流画像を取得し、生体情報モニタ１０が血圧波形等と当該血流画像を同時に表示する場合を考える。この場合に各オペレーティングシステムの時刻情報が少しでもずれていると、血圧のピーク等の情報と血流の変化にずれが生じてしまい、被験者の正確な状態把握が難しくなってしまう。
【００３９】
本実施の形態では、上述のように各オペレーティングシステム（第１ＯＳ１１、第２ＯＳ１２、超音波測定装置３０内のオペレーティングシステム）は所定イベント発生時にマスタークロック１８の計時する共通時刻情報を用い、各自の管理する時刻情報を同期させる。ほぼ同一のタイミングでマスタークロック１８の共通時刻情報を用いた時刻同期を行うため、各オペレーティングシステムにおける時刻のズレがなくなる。これにより生体情報モニタ１０は、複数の情報（波形、測定値、超音波画像）を時刻のズレの無い状態で扱うことができる。
【００４０】
特に超音波測定装置３０と生体情報モニタ１０が有線接続されている場合、第２時刻情報の送信を高速かつ安定して行うことができる。また第１ＯＳ１１及び第２ＯＳ１２は、ネットワークを介さずに同一ハードウェア内のマスタークロック１８を参照する。すなわち各オペレーティングシステム（第１ＯＳ１１、第２ＯＳ１２、超音波測定装置３０内のオペレーティングシステム）の時刻情報のやり取りを高速かつ安定して行うことができる。これにより、ネットワークを介した同期（例えばＮＴＰ（Network Time Protocol）サーバとの同期）を行う場合と比べて、ネットワーク遅延等の影響を回避することができ、３つのオペレーティングシステムで時刻のズレがほとんど無い状態にすることができる。
【００４１】
また各オペレーティングシステムは、上述のように時刻同期に関する処理を優先的に行う（優先度の高い割り込み処理として実行する）。時刻同期を最優先で行うことにより、各オペレーティングシステムの管理する時刻情報がより同期した状態とすることができる。
【００４２】
＜実施の形態２＞
続いて本実施の形態にかかる生体情報システム１について説明する。以下、本実施の形態にかかる生体情報システム１について実施の形態１と異なる点を説明する。
【００４３】
生体情報システム１の構成自体は、図１と同様である。本実施の形態では、所定イベントの発生時の時刻同期の方法が異なる。図３は、本実施の形態における時刻同期の流れを示す。
【００４４】
所定イベントの発生時に、第１ＯＳ１１はマスタークロック１８から共通時刻情報を読み出す。第１ＯＳ１１は、読み出した共通時刻情報を用いて自身が管理する第１時刻情報を更新する。また第１ＯＳ１１は、更新した第１時刻情報をバスライン５３を介して第２ＯＳ１２に通知する。なお第１ＯＳ１１は、第１時刻情報の更新前に共通時刻情報を第２ＯＳに通知してもよい。すなわち第２ＯＳ１２は、共通時刻情報または更新済みの第２時刻情報を第２ＯＳ１２に通知する。第２ＯＳ１２は、通知された第１時刻情報または共通時刻情報を用いて自身が管理する第２時刻情報を更新する。また第２ＯＳ１２は、更新した第２時刻情報を超音波測定装置３０に通知する。なお第２ＯＳ１２は、第２時刻情報の更新の前に共通時刻情報を超音波測定装置３０に通知してもよい。すなわち第２ＯＳ１２は、共通時刻情報または更新済みの第２時刻情報を超音波測定装置３０に通知する。超音波測定装置３０は、通知された第２時刻情報（または共通時刻情報）を用いて自身のオペレーティングシステムで管理する時刻情報を更新する。
【００４５】
続いて本実施の形態にかかる生体情報モニタ１０の効果について説明する。本実施の形態にかかる構成では、実施の形態１と同様に各オペレーティングシステム（第１ＯＳ１１、第２ＯＳ１２、超音波測定装置３０内のオペレーティングシステム）は所定イベント発生時にマスタークロック１８の計時する共通時刻情報を用い、各自の管理する時刻情報を同期させる。これにより生体情報モニタ１０は、複数の情報（波形、測定値、超音波画像）を時刻のズレの無い状態で扱うことができる。
【００４６】
＜実施の形態３＞
続いて本実施の形態にかかる生体情報システム１について説明する。以下、本実施の形態にかかる生体情報システム１について実施の形態１と異なる点を説明する。
【００４７】
生体情報システム１の構成自体は、図１と同様である。本実施の形態では、所定イベントの発生時の時刻同期の方法が異なる。図４は、本実施の形態における時刻同期の流れを示す。
【００４８】
所定イベントの発生時に、第２ＯＳ１２はマスタークロック１８から共通時刻情報を読み出す。第２ＯＳ１２は、読み出した共通時刻情報を用いて自身が管理する第２時刻情報を更新する。また第２ＯＳ１２は、更新した第２時刻情報をバスライン５３を介して第１ＯＳ１１に通知する。第１ＯＳ１１は、通知された第２時刻情報を用いて自身が管理する第１時刻情報を更新する。また第２ＯＳ１２は、更新した第２時刻情報を超音波測定装置３０に通知する。超音波測定装置３０は、通知された第２時刻情報を用いて自身のオペレーティングシステムで管理する時刻情報を更新する。
【００４９】
なお第２ＯＳ１２は、第２時刻情報の更新の前に共通時刻情報を第１ＯＳ１１及び超音波測定装置３０に通知してもよい。すなわち第２ＯＳ１２は、共通時刻情報または更新済みの第２時刻情報を第１ＯＳ１１及び超音波測定装置３０に通知すればよい。
【００５０】
上述の形態であっても、実施の形態１や２と同様の効果を得ることができる。
【００５１】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５２】
例えば第１ＯＳ１１または第２ＯＳ１２は、任意のタイミングでネットワーク上のＮＴＰサーバ（Network Time Protocolサーバ、タイムサーバ）から時刻情報を読み出し、この読み出した時刻情報を用いてマスタークロック１８の管理する共通時刻情報を更新してもよい。これによりマスタークロック１８が管理する共通時刻情報がネットワーク上の正確な時刻と略同一となり、各オペレーティングシステム（第１ＯＳ１１、第２ＯＳ１２、及び超音波測定装置３０内で動作するオペレーティングシステム）で管理する時刻情報（第１時刻情報、第２時刻情報、超音波測定装置３０のシステムクロック）もネットワーク上で管理された時刻情報と同期が取れた状態となる。
【００５３】
また超音波測定装置３０に代わり外部測定装置として筋電計、ＥＩＴ（Electrical Impedance Tomography）測定装置、電磁血流計等を使用してもよい。
【００５４】
また第１ＯＳ１１は、第１時刻情報を更新する際に、共通時刻情報とのズレがどの程度生じていたのかを履歴として記憶しておいてもよい。同様に第２ＯＳ１２は、第２時刻情報を更新する際に、共通時刻情報とのズレがどの程度生じていたのかを履歴として記憶しておいてもよい。各オペレーティングシステムは、このズレをバイタルサイン等の表示に用いてもよい。例えば更新時に１０時１０分の段階で３秒のズレがあった場合、第１ＯＳ１１（または第２ＯＳ１２）は、１０時１０分のバイタルサインの履歴を表示する際に３秒のズレがあったことを合わせて表示してもよい。また第１ＯＳ１１（または第２ＯＳ１２）は、時刻のズレに応じてバイタルサインの履歴の補正を行ってもよい。例えば第１ＯＳ１１は、時刻に３秒のズレが生じていた場合、更新直前のバイタルサインの履歴の時刻情報を３秒ずらす等の補正をしてもよい。
【符号の説明】
【００５５】
１０  生体情報モニタ、１１  第１ＯＳ（オペレーティングシステム）、１２  第２ＯＳ（オペレーティングシステム）、１３  第１演算部、１４  第２演算部、１５  出力制御部、１６  メモリ、１７  入力部、１８  マスタークロック、２１  測定センサ、２２  測定センサ、３０  超音波測定装置
【図１】
0006656935.tif 000002
【図２】
0006656935.tif 000003
【図３】
0006656935.tif 000004
【図４】
0006656935.tif 000005